(57)【要約】【課題】土嚢の流出を防止できる仮締切り用壁を容易な施工で提供することを課題とする。【解決手段】仮締切りを行うための仮締切り用壁１０であって、袋体に中詰材を詰めてなる土嚢１を水底に複数並べて形成した土嚢積層体１１と、土嚢積層体１１の水中側を覆うカバー２０と、カバー２０から土嚢積層体１１側に延在するアンカー材３０とを備えており、アンカー材３０は、上下に隣り合う土嚢１，１同士の間に挟まれていることを特徴とする。さらに、カバー２０は、有孔板または網状材にて構成されている。また、隣り合うアンカー材３０，３０同士を繋ぐ横継ぎ材３２をさらに備えている。【選択図】図１
2014218847.tif 000002
【特許請求の範囲】
【請求項１】
仮締切りを行うための仮締切り用壁であって、
袋体に中詰材を詰めてなる土嚢を水底に複数並べて形成した土嚢積層体と、前記土嚢積層体の水中側を覆うカバーと、前記カバーから前記土嚢積層体側に延在するアンカー材とを備えており、
前記アンカー材は、上下に隣り合う前記土嚢同士の間に挟まれている
ことを特徴とする仮締切り用壁。
【請求項２】
前記カバーは、有孔板または網状材にて構成されている
ことを特徴とする請求項１に記載の仮締切り用壁。
【請求項３】
隣り合うアンカー材同士を繋ぐ横継ぎ材をさらに備えている
ことを特徴とする請求項１または請求項２に記載の仮締切り用壁。
【発明の詳細な説明】
【技術分野】
【０００１】
本発明は、仮締切り用壁に関する。
【背景技術】
【０００２】
水中にて構造物を構築する場合、仮締切りが行われるが、従来は鋼矢板や鋼管矢板を用いて施工されるものが知られていた（特許文献１参照）。例えば、水門の補強工事などにおいては、図５に示すように、床版２上に鋼矢板３が設置できないので、床版２上では土嚢１を積み上げて仮締切り用壁を形成して仮締切りするようになっている。土嚢１は、下側ほど多く配置されるように表面に勾配を持たせて積まれている。
【先行技術文献】
【特許文献】
【０００３】
【特許文献１】特開平７−１８６６８号公報
【発明の概要】
【発明が解決しようとする課題】
【０００４】
ところで、図５に示すような従来の仮締切り用壁では、土嚢１は、積み上げられているだけで、互いに固定されてはいないので、水流の影響を受けて流される可能性があるという問題があった。一方、土嚢１の流出を防ぐために、複数の土嚢１，１・・・をロープで縛って連結する場合もあったが、ロープでの連結作業は流れのある水中で行わなければならず、多くの手間と時間を要するといった問題があった。
【０００５】
このような観点から、本発明は、土嚢の流出を防止できる仮締切り用壁を容易な施工で提供することを課題とする。
【課題を解決するための手段】
【０００６】
このような課題を解決するための本発明は、仮締切りを行うための仮締切り用壁であって、袋体に中詰材を詰めてなる土嚢を水底に複数並べて形成した土嚢積層体と、前記土嚢積層体の水中側を覆うカバーと、前記カバーから前記土嚢積層体側に延在するアンカー材とを備えており、前記アンカー材は、上下に隣り合う前記土嚢同士の間に挟まれていることを特徴とする仮締切り用壁である。
【０００７】
このような構成によれば、アンカー材は土嚢に挟まれて土嚢との間に摩擦力が発生するので、アンカー材が抜け出すのを防止できるとともに、アンカー材によってカバーが固定される。したがって、カバーが土嚢積層体を水中側から固定して仮締切り用壁を一体化することができるので、土嚢の水流による流出を防止できる。さらに、土嚢を設置する工程と、その後、カバーとアンカー材を設置する工程を繰り返すだけで仮締切り用壁を形成できるので、施工が容易である。
【０００８】
請求項２に係る発明では、前記カバーが、有孔板または網状材にて構成されていることを特徴とする。このような構成によれば、設置時に水の抵抗を受け難くなるので、施工が容易になる。
【０００９】
請求項３に係る発明では、隣り合うアンカー材同士を繋ぐ横継ぎ材をさらに備えていることを特徴とする。このような構成によれば、アンカー材が土嚢積層体からより一層抜け出し難くなり、仮締切り用壁が強固になる。
【発明の効果】
【００１０】
本発明によれば、土嚢の流出を防止できる仮締切り用壁を容易な施工で形成することができる。
【図面の簡単な説明】
【００１１】
【図１】本発明の実施形態に係る仮締切り用壁を示した要部斜視図である。
【図２】本発明の実施形態に係る仮締切り用壁のカバーとアンカー材との接合状態を示した分解斜視図である。
【図３】水門の補強工事の仮締切りの状態および仮締切り用壁を示した平面図である。
【図４】本発明の実施形態に係る仮締切り用壁を示した側面図である。
【図５】従来の仮締切り用壁を示した平面図である。
【発明を実施するための形態】
【００１２】
以下、本発明の実施形態に係る仮締切り用壁を、添付した図面を参照しながら説明する。図３に示すように、本実施形態に係る仮締切り用壁１０は、既設水門の補強工事において、鋼矢板３を打ち込めない既設床版２上およびその隣接領域に構築されるものである。なお、床版２の外側においては、鋼矢板３を打ち込んで仮締切りを行っている。本実施形態では、ドライエリアに構築された構造体４の両サイドに仮締切り用壁１０が形成されており、仮締切り用壁１０と構造体４とで仮締切りをおこなっている。
【００１３】
図１に示すように、仮締切り用壁１０は、土嚢積層体１１とカバー２０とアンカー材３０とを備えている。土嚢積層体１１は、複数の土嚢１を並べてなる。土嚢１は、袋体内に土砂などの中詰材を詰めてなる。中詰材は土砂に限定されるものではなく、人工材料など土砂以外のものであってもよい。土嚢１は、例えば、角部が面取りされた四角柱形状または円柱形状を呈している。土嚢積層体１１は、複数の土嚢１，１・・を水平方向および上下方向に並べて構成されている。本実施形態では、土嚢積層体１１は、土嚢１を水平方向に並べて一層ごとに形成した土嚢層１１ａを、複数段（本実施形態では四段）積層して構築されている。図４に示すように、各土嚢層１１ａ，１１ａ・・は、上段になるほど、壁厚方向（図４中、左右方向）の土嚢１の配置数が一つずつ減って壁厚寸法が小さくなっている。上段の土嚢層１１ａは、下段の土嚢層１１ａよりも壁厚方向中心側に、土嚢１の厚さ寸法の半分ずつオフセットした状態で配置されている。
【００１４】
なお、図３に示すように、床版２よりも外側では、仮締切り用壁１０の止水幅方向中央に鋼矢板３が配置されるが、鋼矢板３の配置場所に大型の土嚢１が跨る場合（一段目および三段目）は、小型の土嚢１ａ，１ａ・・を適宜積み上げて鋼矢板３を挟むようになっている。
【００１５】
図１に示すように、カバー２０は、土嚢積層体１１の水中側を覆う部材であって（図４参照）、パンチングメタルなどの有孔板からなる。なお、エキスパンドメタルなどの網状材（メッシュ状材）を用いてもよい。カバー２０は、土嚢１より若干高い高さ寸法を備えており、土嚢積層体１１ごとに設けられる。カバー２０は、土嚢１の下端部と同じ高さに設置され、カバー２０の上端部は土嚢１の上端よりも上方に突出している。カバー２０は、土嚢積層体１１の水中側２面（ドライエリアの外側面）を覆っており、出隅部は面取りされてカバー２０が斜めに配置されている。
【００１６】
カバー２０の裏面（土嚢積層体１１に対向する面）には、断面Ｌ字状のアングル材２１が補強水平材として設けられている。アングル材２１は、カバー２０を補強する役目と、アンカー材３０を固定する役目を果たす。アングル材２１は、水平方向に延在しており、カバー２０の裏面に溶接されている。アングル材２１は、土嚢１の上に敷設されるアンカー材３０に対応して、土嚢１の上端に対応する高さ位置に取り付けられている。図２に示すように、アングル材２１には、アンカー材３０を固定するためのボルト孔となる長孔２２が形成されている。長孔２２は、アンカー材３０の長手方向に長く形成されており、アンカー材３０の設置位置を調整可能になっている。
【００１７】
図１に示すように、アンカー材３０は、カバー２０から土嚢積層体１１側に延在する部材であって、上下の土嚢１，１に挟まれる部材である。アンカー材３０は、平鋼などの金属製プレートにて構成されており、カバー２０の裏面のアングル材２１にボルト止めされている。アンカー材３０は、一つの土嚢１当たりに、一本ずつ配置されている。なお、アンカー材３０の本数は、適宜変更してもよい。アンカー材３０の両端部には、ボルト孔３１（カバー２０側である基端側のみ図示）がそれぞれ形成されている。アンカー材３０は、その基端部がアングル材２１の上面に載置され、アンカー材３０の基端側のボルト孔３１（図２参照）とアングル材２１の長孔２２（図２参照）にボルトＢを挿通させてナットＮで締め付けることで、アンカー材３０がカバー２０に固定されている。カバー２０は、土嚢１の一辺の長さの略１．５倍の長さを有している。なお、アンカー材３０の長さは、前記長さに限定されるものではなく、水流の早さや、カバー２０の大きさに応じて適宜変更可能である。
【００１８】
アンカー材３０の先端側（内側）には、隣り合うアンカー材３０同士を繋ぐ横継ぎ材３２が接続されている。横継ぎ材３２は、アンカー材３０と同様の平鋼にて構成されている。横継ぎ材３２は、カバー２０と平行になるように配置されている。横継ぎ材３２のアンカー材３０との交差部分には、ボルト孔（図示せず）がそれぞれ形成されており、複数のアンカー材３０，３０・・が横継ぎ材３２にボルト止めされている。
【００１９】
図４に示すように、アンカー材３０および横継ぎ材３２の上には、上段の土嚢層１１ａが載置されるとともに、カバー２０が配置される。上段の土嚢層１１ａは、内側にオフセットして配置されるので、カバー２０も、土嚢１と同様に内側にオフセットして配置されている。最上段の土嚢層１１ａ上に載置されるアンカー材３０ａは、土嚢１の一辺の長さの略２倍の長さを有しており、その先端部が下側に屈曲している。アンカー材３０ａの先端部は、直角に屈曲しており、土嚢１のドライエリア側の側面に係止されるようになっている。なお、土嚢積層体１１の壁厚方向中央部に鋼矢板３が位置している部分では、鋼矢板３の上端は、最上段の土壌層１１ａの上端と同等の高さになっており、アンカー材３０ａが鋼矢板３の上を通過して、土嚢１のドライエリア側の側面に係止される。鋼矢板３の上端が、最上段の土壌層１１ａの上端よりも高くなっている場合は、アンカー材３０ａの端部を鋼矢板３に溶接すればよい。
【００２０】
図３に示すように、仮締切り用壁１０の壁厚方向に直交する方向の端部（図３の上下端部）に位置する部分は、上下のカバー２０，２０同士が干渉しない程度（カバー２０の厚さ分程度）に、上段のカバー２０が内側にオフセットしている。
【００２１】
このような構成の仮締切り用壁１０によれば、カバー２０が土嚢積層体１１を覆っているので、土嚢１の水流による流出を防止できる。特に、アンカー材３０は上下の土嚢層１１ａ，１１ａに挟まれており、アンカー材３０と土嚢１との間に摩擦力が発生するので、アンカー材３０が抜け出すのを防止できる。これによって、カバー２０がアンカー材３０を介して土嚢積層体１１に固定され、カバー２０が土嚢積層体１１を水中側から固定して仮締切り用壁１０を一体化することができるので、土嚢１の流出を確実に防止できる。
【００２２】
さらに、アンカー材３０の先端部は、横継ぎ材３２によって接続されているので、横継ぎ材３２の長さ方向全体がアンカー材３０の引抜きに対して対抗することとなる。したがって、アンカー材３０が土嚢積層体１１からより一層抜け出し難くなり、仮締切り用壁１０が強固になる。
【００２３】
一方、前記構成の仮締切り用壁１０は、土嚢１を配列して土嚢層１１ａを形成する工程と、その後、カバー２０とアンカー材３０を、土嚢層１１ａに沿わして設置する工程を繰り返すだけで形成できるので、施工が容易である。このとき、カバー２０とアンカー材３０と横継ぎ材３２は、地上で予め接合してから浸水させて設置するのが容易で好ましい。ここで、カバー２０は、有孔板で構成されているので、浸水設置時に水流による抵抗を受け難くなり、施工がより一層容易になる。
【００２４】
アンカー材３０は、金属製プレートにて構成されており、カバー２０に設けられたアングル材２１にボルト止めされているので、アンカー材３０をカバー２０に容易に取り付けすることができる。さらに、カバー２０はアングル材２１によって補強される。
【００２５】
以上、本発明を実施するための形態について説明したが、本発明は前記実施の形態に限定する趣旨ではなく、本発明の趣旨を逸脱しない範囲で適宜設計変更が可能である。例えば、前記実施形態では、アンカー材３０が平鋼にて形成されているが、これに限定されるものではない。例えば、表面に凹凸が形成された平板を用いてもよい。この凹凸はアンカー材の長手方向に直交する方向に形成されているのが好ましい。このような構成によれば、アンカー材３０がより一層引き抜き難くなる。
【符号の説明】
【００２６】
１      土嚢
１０    仮締切り用壁
１１    土嚢積層体
１１ａ  土嚢層
２０    カバー
２１    アングル材（補強水平材）
３０    アンカー材
３２    横継ぎ材
【図１】
2014218847.tif 000003
【図２】
2014218847.tif 000004
【図３】
2014218847.tif 000005
【図４】
2014218847.tif 000006
【図５】
2014218847.tif 000007